(57)【要約】      （修正有）【課題】調味料などの液体ボトルの蓋の替わりに取り付けて、片手で傾けて一定量の液体を計量し、取り出す器具を提供する。【解決手段】液体調味料が入ったボトルの蓋部分に取り付けて、傾けることで一定量の中身を取り出すことが出来るものである。ほぼ球体型をした計量容器部分とボトルを二本の管のみで接続する。一本は他の一本より下部にあり、その先端は計量容器の中心部で止まる。また、他の一本はそれより長く、上部にある。ボトルを傾けると、中の液体は、下部にある管から計量容器内に注ぎ込まれ、その液体が二本の管の先端を塞ぐ位置まで来ると、液体自身が二本の管の口を塞ぐため、それ以上ボトル内に空気が入らなくなる。それにより液体の流出が止まる。また、計量容器はほぼ球体をしているため、傾ける角度にかかわらず、一定の量を測ることが出来る。計量された液体は三本目の管から外部に出される。そのための空気穴が開けられている。【選択図】図２
0003122190.tif 000002
【実用新案登録請求の範囲】
【請求項１】
液体調味料が入ったボトルの蓋の替わりに取り付けて、傾けることで一定量の中身を取り出すことが出来るものである。ほぼ球体型をした計量容器部分とボトルの蓋部分を二本の管のみで接続する。一本は他の一本より上部にあり、その先端は計量容器の中心部で止まる。また、他の一本はそれより長く、下部にある。ボトルを傾けると、中の液体は、下部にある管から計量容器内に注ぎ込まれ、その液体が二本の管の先端を塞ぐ位置まで来ると、液体自身が空気の出入口を塞ぐため、それ以上ボトル内に空気が入らなくなり、それにより液体の流出が止まる。また、計量容器はほぼ球体をしているため、傾ける角度にかかわらず、一定の量を測ることが出来るものである。
球体に入った液体は、その球体を別の出口の方向へ傾けることによって、外へ出す。
【考案の詳細な説明】
【技術分野】
【０００１】  本考案は、液体の調味料などの入った容器を傾けることにより、中の液体を計量して出すための計量器を取り付けた蓋に関する。
【背景技術】
【０００２】  従来、調理の際に一定の量の液体調味料を出すために、計量スプーンが使用されていた。
【考案の開示】
【考案が解決しようとする課題】
【０００３】  従来は、調理で液体の調味料を計量して使用する際に、計量のために別個の計量スプーンなどを使用すると、そのために両手を使うことになり、煩わしかった。また、計量スプーンに液体調味料を入れる際に、その量が多すぎたり少なすぎたりするという問題点があった。【０００４】  本考案は、調味料容器の計量が片手ででき、更に一定量をほぼ確実に取り出すことが出来るものである。
【課題を解決するための手段】
【０００５】    上記の目的を達成するために、二本の管のみで接続された計量容器部分と蓋部分よりなる計量容器付き蓋を、液体調味料が入ったボトル本体の蓋の替わりに取り付け、ボトルを傾けることで、片手だけで一定量の液体調味料を取り出せるようにした。
【考案の効果】
【０００６】  上述のように、本考案は本体のボトルの蓋部分と計量容器部分とが二本の管のみで接続されるため、本考案を取り付けたボトルを片手で持って傾けるだけで、中身の液体が流出し、一定量に達すると二本の管の口が塞がれることによって、それ以上ボトルの中に空気が入って行かないため、中身の液体の流出が止まる。【０００７】  計量容器部分はほぼ球体をしているため、一本の管の先端をその中央に来るようにし、他の一本をそれより長くすることにより、角度が画一でなくとも、液体が球体部分のほぼ半分に入ったところで液体の流出が止まるため、一定量の計量ができる。
【考案を実施するための最良の形態】
【０００８】    計量容器部分とボトルに蓋をする部分とに分かれる。ボトル入り調味料などの本体の蓋を取り外し、それに替わって取り付けて使用する。計量容器部分はほぼ球体とする。計量容器部分とボトルに蓋をする部分は２本の管によって接続される。管の一本（ｄ）は、蓋部分から計量容器部分に向かって、その計量容器部分の容積の中心部分まで伸びて止まる。他の一本（ｅ）は、計量容器部分に向かって（ｄ）より長く伸びる。ペットボトルを傾けると、中の液体は（ｅ）から計量容器部分に入る。そして、液体が（ｄ）の先端に届くと、計量容器部分に入った液体自体が二本の管の口を塞ぐため、本体ボトルの中にそれ以上空気が入らず、本体ボトルからの液体の流出が止まる。これにより一定の量を計量することが出来る。【０００９】  計量容器部分に入った一定量の液体は、そのボトル本体を逆の角度近くに傾けることにより、傾けた時底部となる場所から伸びる管から外部に出される。【００１０】  計量容器から外部に液体を出す際のための空気穴を所定の場所に開ける。
【実施例】
【００１１】  以下、図面に従って使い方を説明する。図１は、本体ボトルの蓋の替わりに本考案を取り付けた時の図である。このとき、蓋部分と空間を共有するボトル本体は、（ｄ）と（ｅ）の二本の管のみで計量容器部分とつながる。図２は本体ボトルを片手に持ち、傾けた時の図である。傾けることによって、本体ボトルの中の液体が蓋部分から管（ｄ）を通り計量容器部分に入る。と同時に、計量容器部分の空気が別の管（ｅ）を通り、本体ボトルと空間を共有する蓋部分に入って行く。計量容器内に液体が入って行き両方の管の口を塞ぐところまで来ると、空気の流入が止まるため、傾け続けても液体はそれ以上流出しない。また、計量容器部分がほぼ球体をしていることと、空気が通る管が球体の中心で止まっていることから、傾ける角度にかかわらず、計量容器内部に入った液体は、常にその球体のほぼ二分の一の量になったところで流出が止まることになる。図３は本体ボトルを逆の角度に傾けた図である。計量容器部分に入って止まった液体を三本目の管（ｆ）より外部に出す。小さな空気穴（ｇ）があることにより、液体を容易に外部に出すことが出来る。
【図面の簡単な説明】
【００１２】
【図１】本体ボトルの蓋をはずし、本考案の計量容器付き蓋を取り付けた図である。
【図２】本体ボトルを片手に持ち、計量容器側に傾け、液体の流出が止まった時の断面図である。
【図３】図３は本体ボトルをほぼ逆の角度に傾けた時の断面図である。
【符号の説明】
【００１３】  （ａ）調味料の本体ボトルである。
（ｂ）本体ボトルの蓋に替わって取り付ける、本考案の蓋部分である。
（ｃ）蓋部分と接続している計量容器部分である。
（ｄ）蓋部分と計量容器部分とをつないでいる管で、蓋部分から計量容器部分に向かって、その計量容器部分の容積の中心部分まで伸びて止まる。蓋部分との接続部分において、管（ｅ）より上に設置され、容器を傾けて液体が計量容器部分に流入すると、この管を通って、計量容器部分の空気が蓋部分へ入っていく。
（ｅ）蓋部分と計量容器部分とをつないでいる管であり、計量容器部分に向かって（ｄ）より長く伸びる。蓋部分との接続部分において、管（ｄ）より下にあるため、液体はこの管から計量容器部分に入っていく。
（ｆ）計量容器部分に入った液体を外部に出すための管である。この管（ｆ）は計量容器部分から直接外部につながり、蓋部分とはつながっていない。
（ｇ）管（ｆ）から外部に出すための空気穴である。
【図１】
0003122190.tif 000003
【図２】
0003122190.tif 000004
【図３】
0003122190.tif 000005
【手続補正書】
【提出日】平成18年1月10日(2006.1.10)
【手続補正１】
【補正対象書類名】実用新案登録請求の範囲
【補正対象項目名】全文
【補正方法】変更
【補正の内容】
【実用新案登録請求の範囲】
【請求項１】
液体を入れるボトルに取り付けられる計量容器構造体であって、
該ボトルに取り付けた時に２本の管のみで外部とつながる内部空間を持つ蓋部分と、
該ボトルを垂直にした時に高低差をつけて害蓋部分に取り付けられた該２本の管であって、上側に取り付けた管が、害蓋部分の側面に取り付けた計量容器の容積の重心位置まで伸び、下側に取り付けた管が、該計量容器の重心を越える位置まで伸びた該２本の管と、
該２本の管のみで該蓋部分と空間がつながる内部空間を持ち、該２本の管が取り付けられた側に外部と直接つながる排出用管が取り付けられ、他に開口部が形成された該計量容器と、を備えた計量容器構造体。
【請求項２】
前記計量容器がほぼ球体である、請求項１に記載の計量容器構造体。
【請求項３】
ボトルであって、２本の管のみで外部とつながる内部空間を持つ蓋部分と、
該ボトルを垂直にした時に高低差をつけて該蓋部分に取り付けられた該２本の管であって、上側に取り付けた管が、該蓋部分の側面に取り付けた計量容器の容積の重心位置まで伸び、下側に取り付けた管が、該計量容器の重心を越える位置まで伸びた該２本の管と、
該２本の管のみで該蓋部分と空間がつながる内部空間を持ち、該２本の管が取り付けられた側に外部と直接つながる排出用管が取り付けられ、他に開口部が形成された該計量容器と、を備えたボトル。
【手続補正２】
【補正対象書類名】明細書
【補正対象項目名】全文
【補正方法】変更
【補正の内容】
【考案の詳細な説明】
【技術分野】
【０００１】  本考案は、液体を入れるボトルに取り付けられ、そのボトルを傾けることで中の液体を計量し、取り出すことが出来る、計量容器構造体に関するものである。
【背景技術】
【０００２】  従来、ボトルに入った液体の中から一定の量の液体を計量して取り出す際に、別個の計量用器具を使用していた。
【考案の開示】
【考案が解決しようとする課題】
【０００３】  液体の入ったボトルとは別個の計量容器具を使用すると、そのボトルと計量用器具とを両手に持って計量するため、計量している間は他の作業ができなかった。また、計量容器具に入れた液体が多すぎたり、少なすぎたりすることがあった。本考案は、ボトルに入った液体の計量が片手ででき、また、常に一定の量を取り出すことができるものである。
【問題を解決するための手段】
【０００４】  本考案は、液体を入れるボトルに直接取り付けた蓋部分と計量容器部分とが２本の管のみによってつながり、その２本の管は、該ボトルを垂直にしたときに高低差を付けて該蓋部分に取り付けられている。その時上側の管は前記計量容器の容積の重心位置まで伸びて止まり、下側の管はそれより長く伸びて止まる。このため、前記ボトルを前記計量容器側に傾けると、該ボトル内の液体が下側の管を通って該計量容器内に流入し、その液体が２本の管の先端を塞ぐ位置まで来ると、それ以上の流入が止まることにより、液体が計量される。更に、前記ボトルを逆方向に傾けると、前記計量容器に取り付けた直接外部とつながる管より外部に排出される。以上の動作を全て片手で行うことができる。
【０００５】  前記ボトルを垂直にしたときに高低差を付けて前記蓋部分に取り付けた前記２本の管のうち、下側に取り付けた管が、前記計量容器の容積の重心より長く伸びて止まり、上側に取り付けた管が該計量容器の容積の重心位置で止まることにより、傾ける角度にかかわらず、常に該計量容器の容積のほぼ二分の一が計量される。
【０００６】  前記計量容器をほぼ球体にすることで、重心の位置を決め易く、また計量後の液体を外部に排出され易くした。
【考案の効果】
【０００７】  上述のように、本考案の計量容器構造体を液体の入ったボトルに取り付け、そのボトルを一方に傾けることによって、一定量の液体を取り出し、そのボトルを持ったままその逆方向に傾けて外部に排出させるため、常に一定量の液体が、常に片手だけで計量出来る。このため、使用しない方の手で別の作業をすることができ、また、計量される液体が多すぎたり少なすぎたりすることがない。
【０００８】  前記ボトルを前記計量容器側に傾けることによって中の液体が該計量容器内に注がれ、その液体が前記２本の管の口を塞ぐ位置に来ると、それ以上液体が流入することはなく、そのまま傾けていても液体の流出は止まっている。このため、計量する際に傾ける角度を気にする必要がない。
【０００９】  前記ボトルの角度を垂直に戻すと、計量された液体は前記２本の管に逆流することなく前記計量容器の下部に移動し、更に該ボトルを逆方向に傾けることにより、前記蓋部分側の開口部に取り付けた排出用の管から直接外部へ排出される。更に、空気穴としての開口部を前記計量容器に設けることにより液体の排出が早くできる。
【考案を実施するための最良の形態】
【００１０】  本考案の蓋部分の内部空間は、本考案を液体の入ったボトルに取り付けた際に、側面に設けられた２本の管のみによって外部空間とつながる。その２本の管は、ボトルを垂直にした際に高低差をつけて取り付けられる。この２本の管は、そのまま前記蓋部分の側面に取り付けた計量容器部分の内部に伸びてその内部空間とつながる。また、この計量容器はほぼ球体であり、前記２本の管のうち、上側に取り付けた管は、該計量容器の容積の重心位置で止め、下側に取り付けた管は、該計量容器の容積の重心より長く伸びて取り付ける。液体を計量するためにまず前記ボトルを傾けるのであるが、前記２本の管のうち、傾けた時に上部にある管の先が、前記計量容器の容積の重心にあるため、傾ける角度にかかわらず、計量される液体の量は常に、球体である該計量容器の体積のほぼ二分の一である。【００１１】  前記ボトルを持った手を持ち替えることなく、その逆方向である前記排出管を取り付けた側に傾けることによって、前記計量容器内に入った液体を外部に流出させる。
【実施例】
【００１２】  以下、図面に従って使い方を説明する。図１は、液体が入ったボトルに本考案を取り付けた時の図である。このとき、ボトル本体（ａ）と空間を共有する蓋部分（ｂ）は、（ｄ）と（ｅ）の２本の管のみで計量容器部分（ｃ）と内部がつながる。図２は本体ボトルを片手に持ち、計量容器側に傾けた時の図である。傾けることによって、ボトル内の液体が蓋部分から管（ｅ）を通り計量容器部分に入る。と同時に、計量容器部分の空気が別の管（ｄ）を通り、本体ボトルと空間を共有する蓋部分に流入する。計量容器内に液体が入り、（ｄ）、（ｅ）両方の管の口を塞ぐところまで来ると蓋部分への空気の流入が止まるため、傾けたままでいても液体はそれ以上流出しない。また、計量容器部分がほぼ球体をしていることと、空気が通る管（ｄ）の先がその球体の容積の重心で止まっていることから、傾ける角度にかかわらず、計量容器内部に入った液体は、常にその容積のほぼ二分の一の量になったところで流出が止まる。図３は本体ボトルを逆方向に傾けた図である。計量容器部分に入って止まった液体を三本目の管（ｆ）より外部に出す。小さな空気穴（ｇ）があることにより、液体を容易に外部に出すことが出来る。
【図面の簡単な説明】
【００１３】
【図１】液体の入ったボトルに、本考案の計量容器構造体を取り付けた図である。
【図２】前記ボトルを片手に持って計量容器側に傾け、液体の流出が止まった時の断面図である。
【図３】本体ボトルを計量時のほぼ逆の方向に傾け、計量後の液体を排出させている時の断面図である。
【符号の説明】
【００１４】  （ａ）液体の入ったボトルである。
（ｂ）本考案の内の、蓋部分である。
（ｃ）前記蓋部分と２本の管のみによって内部空間を共有する計量容器部分である。
（ｄ）前記２本の管の内の１本で、前記ボトルを垂直にした時、蓋部分において高低差をつけて取り付けた内の上側の管であり、計量容器内に伸びて該計量容器の容積の重心位置で止まる。
（ｅ）前記２本の管の内の他の１本で、前記管（ｄ）より下側につけられ、該管（ｄ）より長く伸びる。
（ｆ）計量容器に入った液体を外部に排出するための管である。この管（ｆ）は計量容器部分から直接外部につながり、蓋部分とは空間を直接共有していない。
（ｇ）管（ｆ）から外部に出すための空気穴としての開口部である。
【手続補正３】
【補正対象書類名】図面
【補正の内容】
0003122190.tif 000006